(57)【特許請求の範囲】
【請求項１】
メダル・コイン又は厚みが薄い偏平な物品である小物を搬送する搬送路の途中に、一対の回転ブラシを対向して１組又は複数組配置し、対向した一対の回転ブラシのブラシ毛間に前記小物が通過するようにして、回転ブラシのブラシ毛が通過する小物の表面及び裏面に接触してブラシ毛の毛先で小物の表面に付着したゴミ・汚れ及びその他の付着物を剥離して小物を清掃する回転ブラシ清掃装置に於いて、回転ブラシにより小物表面から剥離された剥離物を空気とともに吸引して捕捉して除去する空気吸引式剥離物回収装置を設けるとともに、回転ブラシのブラシ毛の先端を定期的又は非定期的にブラシ研磨体に接触させてブラシ毛の先端を研磨してエッジを回復させるブラシ研磨装置を設け、ブラシ毛の先端をブラシ研磨体によって研磨することでブラシ先端のエッジを回復して付着物の剥離力を高く且つ長く維持でき、しかも対向した一対の回転ブラシが小物の搬送路に複数組搬送方向に沿って配置され、ブラシ研磨装置は複数の対向する同じ側にある回転ブラシに対してそれぞれに設けた共通のブラシ研磨体が同時に同じ側の複数の回転ブラシに対し接触できるように接離方向に動く構造として、共通のブラシ研磨体で同じ側の複数の回転ブラシのブラシ毛を同時に研磨できるようにした、回転ブラシ清掃装置。
【請求項２】
メダル・コイン又は厚みが薄い偏平な物品である小物を搬送する搬送路の途中に、一対の回転ブラシを対向して１組又は複数組配置し、対向した一対の回転ブラシのブラシ毛間に前記小物が通過するようにして、回転ブラシのブラシ毛が通過する小物の表面及び裏面に接触してブラシ毛の毛先で小物の表面に付着したゴミ・汚れ及びその他の付着物を剥離して小物を清掃する回転ブラシ清掃装置に於いて、回転ブラシにより小物表面から剥離された剥離物を空気とともに吸引して捕捉して除去する空気吸引式剥離物回収装置を設けるとともに、回転ブラシのブラシ毛の先端を定期的又は非定期的にブラシ研磨体に接触させてブラシ毛の先端を研磨してエッジを回復させるブラシ研磨装置を設け、ブラシ毛の先端をブラシ研磨体によって研磨することでブラシ先端のエッジを回復して付着物の剥離力を高く且つ長く維持でき、しかも前記ブラシ研磨装置が、ブラシ研磨体を回転ブラシに対し離反又は近接させるように付勢するスプリングと、ブラシ研磨体を回転ブラシに対しスプリングの付勢方向と逆方向に動かす電磁ソレノイドとを備え、電磁ソレノイドの通電のＯＮ・ＯＦＦ制御でブラシ研磨体を回転ブラシと接離できるようにした、回転ブラシ清掃装置。
【請求項３】
メダル・コイン又は厚みが薄い偏平な物品である小物を搬送する搬送路の途中に、一対の回転ブラシを対向して１組又は複数組配置し、対向した一対の回転ブラシのブラシ毛間に前記小物が通過するようにして、回転ブラシのブラシ毛が通過する小物の表面及び裏面に接触してブラシ毛の毛先で小物の表面に付着したゴミ・汚れ及びその他の付着物を剥離して小物を清掃する回転ブラシ清掃装置に於いて、回転ブラシにより小物表面から剥離された剥離物を空気とともに吸引して捕捉して除去する空気吸引式剥離物回収装置を設けるとともに、回転ブラシのブラシ毛の先端を定期的又は非定期的にブラシ研磨体に接触させてブラシ毛の先端を研磨してエッジを回復させるブラシ研磨装置を設け、ブラシ毛の先端をブラシ研磨体によって研磨することでブラシ先端のエッジを回復して付着物の剥離力を高く且つ長く維持でき、しかも小物の搬送路となる途中位置の装置ケーシングに立体形状の空所を設け、同空所の立体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って１組又は複数組の上下対の回転ブラシを箱体壁に軸支するとともに、各回転ブラシの外側で箱体内に回転ブラシ用前記ブラシ研磨装置を上下それぞれ配置し、上下対となる回転ブラシの各回転軸の箱体壁面から突出した位置に平ギアを軸着し且つ上下対となる回転ブラシの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクタと接続可能とした、回転ブラシ清掃装置。
【請求項４】
前記ブラシ研磨装置が、ブラシ研磨体を回転ブラシに対し離反又は近接させるように付勢するスプリングと、ブラシ研磨体を回転ブラシに対しスプリングの付勢方向と逆方向に動かす電磁ソレノイドとを備え、電磁ソレノイドの通電のＯＮ・ＯＦＦ制御でブラシ研磨体を回転ブラシと接離できるようにした、請求項１記載の回転ブラシ清掃装置。
【請求項５】
前記回転ブラシが、ブラシ毛を植生する回転ローラの外周面にブラシ毛を所定巾をもって植生し且つその巾がローラ軸方向に螺旋状となるように形成されたものである、請求項１，２，４いずれか記載の回転ブラシ清掃装置。
【請求項６】
小物の搬送路となる途中位置の装置ケーシングに立体形状の空所を設け、同空所の立体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って１組又は複数組の上下対の回転ブラシを箱体壁に軸支するとともに、各回転ブラシの外側で箱体内に回転ブラシ用前記ブラシ研磨装置を上下それぞれ配置し、上下対となる回転ブラシの各回転軸の箱体壁面から突出した位置に平ギアを軸着し且つ上下対となる回転ブラシの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクタと接続可能とした、請求項１記載の回転ブラシ清掃装置。
【請求項７】
前記回転ブラシが、ブラシ毛を植生する回転ローラの外周面にブラシ毛を所定巾をもって植生し且つその巾がローラ軸方向に螺旋状となるように形成されたものである、請求項３記載の回転ブラシ清掃装置。
【請求項８】
小物の搬送路となる途中位置の装置ケーシングに立体形状の空所を設け、同空所の立体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って１組又は複数組の上下対の回転ブラシを箱体壁に軸支するとともに、各回転ブラシの外側で箱体内に回転ブラシ用前記ブラシ研磨装置を上下それぞれ配置し、上下対となる回転ブラシの各回転軸の箱体壁面から突出した位置に平ギアを軸着し且つ上下対となる回転ブラシの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクタと接続可能とした、請求項２，４，５いずれか記載の回転ブラシ清掃装置。
【請求項９】
回転ブラシの各回転軸に軸着した平ギアの中央側寄りとなる回転軸位置にベアリングを装着し、箱体の対向する左右側壁それぞれに各回転ブラシの前記ベアリング部分を上から挿入して搬送方向及び左右方向に拘束できる縦溝を１本又は複数本設けるとともに、箱体の左右壁の縦溝に２個の回転ブラシを挿入して下方の回転ブラシのベアリングは縦溝の溝底で受け、上方の回転ブラシのベアリングは下方のベアリングの上に載せ、上下対向の回転ブラシの毛先部分に箱体搬送路が位置するように溝底の高さを調整し、箱体の内部の下部に下側となる回転ブラシを研磨する前記ブラシ研磨装置を取付け、箱体の天井面となる蓋体を箱体に取り外し自在に設け、同蓋体は前記縦溝に挿入された上下２個のベアリングを上方から押えるベアリング押え片を有し、しかも挿入される上側の回転ブラシのブラシ毛を研磨する上方の前記ブラシ研磨装置を蓋体側に取付けた、請求項３，６，７，８いずれか記載の回転ブラシ清掃装置。
【請求項１０】
請求項１〜９いずれか記載の回転ブラシ清掃装置の小物の前記搬送路の上流側に、回転盤上面の外周領域にブラシ毛を上方向に植毛し、その上方に固定したブラシ毛を下方向に植毛し、回転盤の上面の中央領域上方に使用済み小物の投入口を設け、回転盤の上面の中央領域を前記投入口から投入される小物の受面とし、同受面に落下した小物を回転盤の中央領域で受けて前記回転盤の下側ブラシ毛と固定の上側ブラシ毛との間の方向に前記回転盤の回転の遠心力でもって移動させて小物を上下のブラシ毛間を通過させて１次的に清掃して搬送路へ送り出す回転盤式１次小物清掃装置を配置し、同回転盤式１次小物清掃装置で小物を１次的に清掃したものを前記回転ブラシ清掃装置の搬送路へ送り込んで前記回転ブラシと空気吸引式剥離物回収装置とブラシ研磨装置を用いて２次清掃する、回転ブラシ清掃装置。
【請求項１１】
小物が遊技店の遊技機で使用されるメダルである、請求項１〜１０いずれか記載の回転ブラシ清掃装置。
【発明の詳細な説明】
【技術分野】
【０００１】
本発明は、メダル・コイン又は厚みの薄い小型の金属プレート等の小物の表面及び裏面の汚れ・付着しているゴミ・微粒子等を回転ブラシのブラシ毛で剥離して除去する回転ブラシの清掃装置に関する。
【背景技術】
【０００２】
上下対向した回転ブラシのブラシ毛の間にメダルを通過させて回転しているブラシ毛でメダルの表面・裏面の汚れ・ゴミ・付着物を剥離して除去してメダルを清掃する回転ブラシ清掃装置が、特許文献１，２で公知となっている。
【０００３】
この回転ブラシのブラシ毛の先端がメダルとの繰り返し接触によってブラシ毛の毛先端が摩耗によって図９の（ｂ）の如く丸味を帯びると、メダルの表面の微小な凹凸に付着したゴミ・汚れ・粒状物の剥離力が低下し、装置としての清掃力が弱くなるという問題点があった。又、ブラシ毛の毛先のエッジに汚れ・ゴミが固着して離れなくなってもブラシ毛による剥離力が低下していた。
【先行技術文献】
【特許文献】
【０００４】
【特許文献１】特開２０１１−０１９５８９号公報
【特許文献２】特開２０１１−０６７２５７号公報
【発明の概要】
【発明が解決しようとする課題】
【０００５】
本発明が解決しようとする課題は、清掃用の回転ブラシのブラシ毛の毛先がメダル等の小物の表面との繰り返し接触による摩耗によって丸味を帯びて剥離力が低下すること及びブラシ毛の毛先のエッジに汚れ・ゴミが固着することにより剥離力の低下することを防止し、長時間使用しても回転ブラシによる清掃力の低下がない回転ブラシ清掃装置を提供することにある。
【課題を解決するための手段】
【０００６】
かかる課題を解決した本発明の構成は、
１）  メダル・コイン又は厚みが薄い偏平な物品である小物を搬送する搬送路の途中に、一対の回転ブラシを対向して１組又は複数組配置し、対向した一対の回転ブラシのブラシ毛間に前記小物が通過するようにして、回転ブラシのブラシ毛が通過する小物の表面及び裏面に接触してブラシ毛の毛先で小物の表面に付着したゴミ・汚れ及びその他の付着物を剥離して小物を清掃する回転ブラシ清掃装置に於いて、回転ブラシにより小物表面から剥離された剥離物を空気とともに吸引して捕捉して除去する空気吸引式剥離物回収装置を設けるとともに、回転ブラシのブラシ毛の先端を定期的又は非定期的にブラシ研磨体に接触させてブラシ毛の先端を研磨してエッジを回復させるブラシ研磨装置を設け、ブラシ毛の先端をブラシ研磨体によって研磨することでブラシ先端のエッジを回復して付着物の剥離力を高く且つ長く維持でき、しかも対向した一対の回転ブラシが小物の搬送路に複数組搬送方向に沿って配置され、ブラシ研磨装置は複数の対向する同じ側にある回転ブラシに対してそれぞれに設けた共通のブラシ研磨体が同時に同じ側の複数の回転ブラシに対し接触できるように接離方向に動く構造として、共通のブラシ研磨体で同じ側の複数の回転ブラシのブラシ毛を同時に研磨できるようにした、回転ブラシ清掃装置
２）  メダル・コイン又は厚みが薄い偏平な物品である小物を搬送する搬送路の途中に、一対の回転ブラシを対向して１組又は複数組配置し、対向した一対の回転ブラシのブラシ毛間に前記小物が通過するようにして、回転ブラシのブラシ毛が通過する小物の表面及び裏面に接触してブラシ毛の毛先で小物の表面に付着したゴミ・汚れ及びその他の付着物を剥離して小物を清掃する回転ブラシ清掃装置に於いて、回転ブラシにより小物表面から剥離された剥離物を空気とともに吸引して捕捉して除去する空気吸引式剥離物回収装置を設けるとともに、回転ブラシのブラシ毛の先端を定期的又は非定期的にブラシ研磨体に接触させてブラシ毛の先端を研磨してエッジを回復させるブラシ研磨装置を設け、ブラシ毛の先端をブラシ研磨体によって研磨することでブラシ先端のエッジを回復して付着物の剥離力を高く且つ長く維持でき、しかも前記ブラシ研磨装置が、ブラシ研磨体を回転ブラシに対し離反又は近接させるように付勢するスプリングと、ブラシ研磨体を回転ブラシに対しスプリングの付勢方向と逆方向に動かす電磁ソレノイドとを備え、電磁ソレノイドの通電のＯＮ・ＯＦＦ制御でブラシ研磨体を回転ブラシと接離できるようにした、回転ブラシ清掃装置
３）  メダル・コイン又は厚みが薄い偏平な物品である小物を搬送する搬送路の途中に、一対の回転ブラシを対向して１組又は複数組配置し、対向した一対の回転ブラシのブラシ毛間に前記小物が通過するようにして、回転ブラシのブラシ毛が通過する小物の表面及び裏面に接触してブラシ毛の毛先で小物の表面に付着したゴミ・汚れ及びその他の付着物を剥離して小物を清掃する回転ブラシ清掃装置に於いて、回転ブラシにより小物表面から剥離された剥離物を空気とともに吸引して捕捉して除去する空気吸引式剥離物回収装置を設けるとともに、回転ブラシのブラシ毛の先端を定期的又は非定期的にブラシ研磨体に接触させてブラシ毛の先端を研磨してエッジを回復させるブラシ研磨装置を設け、ブラシ毛の先端をブラシ研磨体によって研磨することでブラシ先端のエッジを回復して付着物の剥離力を高く且つ長く維持でき、しかも小物の搬送路となる途中位置の装置ケーシングに立体形状の空所を設け、同空所の立体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って１組又は複数組の上下対の回転ブラシを箱体壁に軸支するとともに、各回転ブラシの外側で箱体内に回転ブラシ用前記ブラシ研磨装置を上下それぞれ配置し、上下対となる回転ブラシの各回転軸の箱体壁面から突出した位置に平ギアを軸着し且つ上下対となる回転ブラシの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクタと接続可能とした、回転ブラシ清掃装置
４）  前記ブラシ研磨装置が、ブラシ研磨体を回転ブラシに対し離反又は近接させるように付勢するスプリングと、ブラシ研磨体を回転ブラシに対しスプリングの付勢方向と逆方向に動かす電磁ソレノイドとを備え、電磁ソレノイドの通電のＯＮ・ＯＦＦ制御でブラシ研磨体を回転ブラシと接離できるようにした、前記１）記載の回転ブラシ清掃装置
５）  前記回転ブラシが、ブラシ毛を植生する回転ローラの外周面にブラシ毛を所定巾をもって植生し且つその巾がローラ軸方向に螺旋状となるように形成されたものである、前記１），２），４）いずれか記載の回転ブラシ清掃装置
６）  小物の搬送路となる途中位置の装置ケーシングに立体形状の空所を設け、同空所の立体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って１組又は複数組の上下対の回転ブラシを箱体壁に軸支するとともに、各回転ブラシの外側で箱体内に回転ブラシ用前記ブラシ研磨装置を上下それぞれ配置し、上下対となる回転ブラシの各回転軸の箱体壁面から突出した位置に平ギアを軸着し且つ上下対となる回転ブラシの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクタと接続可能とした、前記１）記載の回転ブラシ清掃装置
７）  前記回転ブラシが、ブラシ毛を植生する回転ローラの外周面にブラシ毛を所定巾をもって植生し且つその巾がローラ軸方向に螺旋状となるように形成されたものである、前記３）記載の回転ブラシ清掃装置
８）  小物の搬送路となる途中位置の装置ケーシングに立体形状の空所を設け、同空所の立体形状と略同じ外形状の箱体を別体で設けるとともに、同箱体が装置ケーシングの前記空所に外から脱着可能に嵌合係止できるように箱体受部材を装置ケーシング側に設け、同箱体は装置ケーシング内の搬送路に絡がる小物の導入口と小物の送出口とを箱体側面に有し、同導入口と同送出口を結ぶ小物の箱体内搬送路が箱体内に形成され、しかも同箱体内搬送路に沿って１組又は複数組の上下対の回転ブラシを箱体壁に軸支するとともに、各回転ブラシの外側で箱体内に回転ブラシ用前記ブラシ研磨装置を上下それぞれ配置し、上下対となる回転ブラシの各回転軸の箱体壁面から突出した位置に平ギアを軸着し且つ上下対となる回転ブラシの回転軸の前記平ギアとは互に噛合して反対方向に回転させる構造とした箱体装置を別体に備え、又装置ケーシングの空所に嵌合係止した状態の箱体装置の前記回転軸に軸着した平ギアと噛合する駆動平ギアを装置ケーシング側に固設し、同駆動平ギアを装置ケーシングに固定のモータで駆動できるようにし、又箱体装置内のブラシ研磨装置に用いる電源コードのコネクタを装置ケーシング側の供給電源コードのコネクタと接続可能とした、前記２），４），５）いずれか記載の回転ブラシ清掃装置
９）  回転ブラシの各回転軸に軸着した平ギアの中央側寄りとなる回転軸位置にベアリングを装着し、箱体の対向する左右側壁それぞれに各回転ブラシの前記ベアリング部分を上から挿入して搬送方向及び左右方向に拘束できる縦溝を１本又は複数本設けるとともに、箱体の左右壁の縦溝に２個の回転ブラシを挿入して下方の回転ブラシのベアリングは縦溝の溝底で受け、上方の回転ブラシのベアリングは下方のベアリングの上に載せ、上下対向の回転ブラシの毛先部分に箱体搬送路が位置するように溝底の高さを調整し、箱体の内部の下部に下側となる回転ブラシを研磨する前記ブラシ研磨装置を取付け、箱体の天井面となる蓋体を箱体に取り外し自在に設け、同蓋体は前記縦溝に挿入された上下２個のベアリングを上方から押えるベアリング押え片を有し、しかも挿入される上側の回転ブラシのブラシ毛を研磨する上方の前記ブラシ研磨装置を蓋体側に取付けた、前記３），６），７），８）いずれか記載の回転ブラシ清掃装置
１０）  前記１）〜９）いずれか記載の回転ブラシ清掃装置の小物の前記搬送路の上流側に、回転盤上面の外周領域にブラシ毛を上方向に植毛し、その上方に固定したブラシ毛を下方向に植毛し、回転盤の上面の中央領域上方に使用済み小物の投入口を設け、回転盤の上面の中央領域を前記投入口から投入される小物の受面とし、同受面に落下した小物を回転盤の中央領域で受けて前記回転盤の下側ブラシ毛と固定の上側ブラシ毛との間の方向に前記回転盤の回転の遠心力でもって移動させて小物を上下のブラシ毛間を通過させて１次的に清掃して搬送路へ送り出す回転盤式１次小物清掃装置を配置し、同回転盤式１次小物清掃装置で小物を１次的に清掃したものを前記回転ブラシ清掃装置の搬送路へ送り込んで前記回転ブラシと空気吸引式剥離物回収装置とブラシ研磨装置を用いて２次清掃する、回転ブラシ清掃装置
１１）  小物が遊技店の遊技機で使用されるメダルである、前記１）〜１０）いずれか記載の回転ブラシ清掃装置
にある。
【発明の効果】
【０００７】
本発明によれば、ブラシ研磨装置を作動させることで、対向して回転している回転ブラシに定期的又は不定期的にブラシ研磨体を接触させてブラシ毛先端をブラシ研磨体の表面の研磨層に当ててブラシ毛先端を研磨し、ブラシの毛先のエッジ部に付着したゴミ・汚れ等の付着物を引き剥して排除するとともに、丸味を帯びた図９の（ｂ）のブラシ毛の毛先を図９の（ｃ）の如くエッジを作るようにブラシの毛先を研ぎ、ブラシの毛先のエッジを回復して、この回復されるエッジによって小物の表面裏面の凹凸の隅にある汚れ・ゴミ等をよく掻き出して、剥離力の低下を防止し、剥離力を長く維持することで回転ブラシの清掃力を高く長時間維持できるようにする。
【０００８】
更に、回転ブラシとブラシ研磨装置の構成を箱体に装置して別体の箱体装置とし、この箱体装置を回転ブラシ清掃装置の本体側となる装置ケーシングの搬送路の途中の空所に脱着自在に取付けて動力・電源を本体側から伝達できる構造とすれば、回転ブラシ及びブラシ研磨装置の清掃・交換・点検・検査・補修を箱体装置を空所から取り外して行えるので、これらの清掃等の作業が迅速且つ容易に行える。
【０００９】
又、箱体の縦溝に回転ブラシを挿入して蓋体で軸支できる構造とするものでは、箱体装置を空所から取り外して蓋体を外せば回転ブラシ・ブラシ研磨装置が露出できて、これらの部品の清掃・交換・補修・点検が更に迅速且つ容易にできる。
【図面の簡単な説明】
【００１０】
【図１】図１は、本発明の実施例１の構造を示す説明図である。
【図２】図２は、実施例１の回転盤式１次清掃装置を示す分解斜視図である。
【図３】図３は、実施例１の回転ブラシの駆動機構を示す説明図である。
【図４】図４は、実施例１のブラシ研磨装置を示す分解斜視図である。
【図５】図５は、実施例１のブラシ研磨装置と回転ブラシの配置を示す説明図である。
【図６】図６は、実施例１の回転ブラシを示す側面図である。
【図７】図７は、実施例１の回転ブラシを示す正面図である。
【図８】図８は、実施例１の回転ブラシのブラシ毛の研磨状態を示す説明図である。
【図９】図９（ａ），（ｂ），（ｃ）は、実施例１のブラシ毛の先端状態を示す説明図である。
【図１０】図１０は、実施例１のメダル清掃状態を示す説明図である。
【図１１】図１１は、回転ブラシ一組の実施例２を示す説明図である。
【図１２】図１２は、実施例３の要部構造を示す説明図である。
【図１３】図１３は、実施例３の箱体装置を装置ケーシングの空所から取り外した状態を示す説明図である。
【図１４】図１４は、実施例３の箱体装置の縦断面図である。
【図１５】図１５は、実施例３の箱体装置と装置ケーシング側との動力及び電源の接続を示す説明図である。
【図１６】図１６は、実施例３における回転ブラシの箱体への取付けと蓋体の構造を示す分解説明図である。
【図１７】図１７は、実施例３の組立て状態の箱体装置の外観を示す斜視図である。
【図１８】図１８は、実施例３の装置ケーシング側の空所と動力伝達構造を示す一部切欠説明図である。
【図１９】図１９は、実施例３の回転ブラシの動力伝達機構を示す説明図である。
【発明を実施するための形態】
【００１１】
本発明のブラシ研磨体の表面に形成する研磨層を形成する研磨材としては、サンドペーパー・ヤスリ・セラミック研磨布・砥石等に使用されている研磨材が使用できる。研磨材の付着の他に、研磨材を固定するベース材に微細な凹凸を設けることも効果的となる。ブラシ研磨体は、平板・円筒面の接触面に研磨層を形成するのが多い。
【００１２】
ブラシ研磨装置が、ブラシ研磨体を回転ブラシのブラシ毛の先端と接触させるタイミングは、定期的又は不定期的に行うことができる。実施例では、回転ブラシの１５秒回転後５秒間ブラシ研磨体に接触させる。これは、タイマーを使用した電子回路でも、又はコンピュータソフトでもって制御することができる。
又、ブラシ研磨体を回転ブラシと接離する運動は、スプリング力・ソレノイド等の電磁吸着力を利用する運動、又は回転カム板で定期的に行うこともできる。その動作機構は種々あるが、実施例の如くスプリングと電磁ソレノイドを使用するのが制御・構造とも簡単で好ましい。
【００１３】
又、回転ブラシのブラシ毛の長さは図８に示すようにブラシ毛がしなって小物表面に毛先が当るようにするブラシ毛の長さが好ましい。この長さでは、ブラシ毛の先端が小物の表面の凹凸の隅に刺し込むようにして付着物を掻き出して剥離し、又ブラシ毛の曲がりによる弾性力が撥き飛ばす力を生む。
【００１４】
又、対向する一対の回転ブラシとしては、メダル搬送路が水平方向で上下方向に対向する回転ブラシ配置が代表例であるが、メダル搬送路が垂直・傾斜したものでもよい。水平方向に左右対向する回転ブラシでもよいし、対向方向が傾斜していてもよい。
【００１５】
又、剥離物回収装置は、吸引式の電気掃除機（ゴミはフィルター袋内に収容するタイプ及びサイクロンで捕捉して小室に溜めるタイプ）の構造が採用できる。空気吸引口は対向の回転ブラシ間の空気及びその周囲の空気とともに飛散・浮遊するゴミ・粒子・破片・ブラシの削りカス等の剥離物を吸引して、フィルター袋内又はサイクロンの小室に収容し、多く収容されればフィルター袋・小室から排出するようにするのがよい。
【実施例】
【００１６】
（実施例１）
以下、本発明の実施例１の回転ブラシ清掃装置Ｇ１は、１次清掃として回転盤式１次小物清掃装置１０を有し、２次清掃として本発明の要部構成の回転ブラシ清掃装置要部Ｇ０を設けた例である。以下、この実施例１を図面に基づいて説明する。図１〜１０に示す実施例１の回転ブラシ清掃装置要部Ｇ０は上下対向の回転ブラシ２，３を３組メダルの搬送路１に沿って配置し、フィルター袋７６を使用した吸引式剥離物回収装置７を設け、又ブラシ研磨装置８のブラシ研磨板８１は回転ブラシ２，３の上下に配置し、圧縮スプリング８５による回転ブラシ方向の近接方向に動かす付勢力と、ＯＮで離反方向にブラシ研磨板８１を動かす電磁ソレノイド８６のＯＮ・ＯＦＦ通電制御で、回転ブラシ２，３を１５秒回転毎に５秒間だけブラシ研磨板８１に回転ブラシ２，３と接触させて、ブラシ毛２３，３３の毛先を研磨する。併せて、同ブラシ毛に付着したゴミ・汚れ・破片を同ブラシ毛から分離し、空気中に剥離物として飛散させる。この飛散した剥離物は空気吸引式を使用した剥離物回収装置７の空気吸引口７１から吸引捕捉し、空気路７４を経て回収装置７２の内部のフィルター袋７６に収納させる。そして、メダルｍの第１次清掃装置として、公知の水平な回転盤上面の外周領域に植生したブラシ毛の植毛帯と、固定のその上方のブラシ毛帯との間を、メダルが回転盤の回転力による遠心力で通過する際上下のブラシ毛間でメダルを清掃・研磨する回転盤式１次小物清掃装置１０を設け、その１次清掃したメダルｍを本発明の回転ブラシ清掃装置要部Ｇ０の上下対向の回転ブラシ２，３間のメダルの搬送路１に沿って送り出す例である。
【００１７】
図１１に示す実施例２の回転ブラシ清掃装置Ｇ２は、上下回転ブラシが１組のみの簡式な例である。他は実施例１の構造・作用効果と同様である。
【００１８】
（実施例１の符号の説明）
Ｇ０は実施例中の本発明の要部構成の回転ブラシ清掃装置要部、Ｇ１は実施例１の回転ブラシ清掃装置、１はメダルの搬送路、２，３は上下対向した回転ブラシ、２１，３１は回転ブラシ２，３の植毛される円筒ロール、２２，３２は回転ブラシ２，３の回転軸、２３，３３は円筒ロール２１，３１の外周面に一定の巾で且つその巾が螺旋状となるように多数本植毛されたブラシ毛、２４，３４は回転軸２２，３２の軸着された平ギアで、互に噛合して回転軸２２，３２を反対方向に回転させる。３５は回転軸３２に軸着されたベルト車、４はモータ５の動力をベルト車３５へ伝達する伝動ベルト、５は回転ブラシ２，３を回動させるモータ、６は搬送路１の排出シュート部である。又、２３１，３３１はブラシ毛２３，３３のエッジ、２３２，３３２は同エッジに付着したゴミ・汚れ、２３３，３３３は同エッジの丸味である。
【００１９】
又、７は剥離物回収装置であり、７１は下流側の３組目の回転ブラシ３の位置に設けた空気吸引口、７２は同空気吸引口に吸引した剥離物収容用フィルター袋７６，ファン７５を有する掃除機の構造と同じであるので省略した回収装置本体部、７３は排気口、７４は空気吸引口７１と回収装置本体部７２とを連通する空気路、７５は空気路７４の空気圧を負圧にするファン、７６は剥離物回収の一般的なフィルター袋で、詳細図面は省略している。
【００２０】
８はブラシ研磨装置であり、８１は板状のブラシ研磨体であるブラシ研磨板、８１２は同ブラシ研磨板の表面に形成された研磨層、８２はブラシ研磨板８１を固定フレーム８３に対し上下動自在に取付けるブラシ研磨板８１に取付けた上下案内ピン、８３は固定フレーム、８４は欠番、８５はブラシ研磨板８１を回転ブラシ２，３の方向へ付勢する圧縮スプリング、８６は固定フレーム８３の中央部に設けた電磁ソレノイド、８７はブラシ研磨板の中央に取付けた磁性板（鉄片）、電磁ソレノイド８６は１５秒通電されて作動して磁性板８７を吸着し、ブラシ研磨板８１を回転ブラシ２，３から遠くに離す。その後５秒非通電して電磁吸着力をなくして、ブラシ研磨板８１を圧縮スプリング８５の付勢力で回転ブラシ２，３に接触させ、ブラシ毛を５秒間接触させるようにしている。その電気制御部は図示していない。
【００２１】
図中、１０は第１段目の回転盤式１次小物清掃装置、１１はその回転盤、１１１は回転盤１１の中央領域のメダル受面、１１２は回転盤１１の回転軸、１２は回転盤１１の上面の外周領域に上方に向けて植毛された環状の下側のブラシ毛、１３は装置ケーシング、１３１はメダルｍの投入口、１３２は回転盤１１の上面の外周領域の上側のブラシ毛を下方向に向けて植生する固定フレーム、１３３は回転盤１１を収める環状ケーシング部、１４は同固定フレームの下面に下向きに植生された上側ブラシ毛、１５は回転盤１１の回転軸１１２を回転させるモータ、１５１は伝動ベルト、１６は装置ケーシング１３の環状ケーシング部１３３の一部を開口して搬送路１にメダルｍを送り込むメダル送出口である。
【００２２】
（実施例１の動作）
実施例１では、使用されたメダルｍは回転盤式１次小物清掃装置１０の投入口１３１からランダムに投入する。投入されたメダルｍは回転盤１１の中央領域のメダル受面１１１で受けられる。回転盤１１はモータ１５で高速回転していて回転盤１１のメダル受面１１１及びその外周領域に置かれたメダルｍは回転による遠心力が作用し、メダルｍは半径方向に（螺旋的軌跡でもって）加速されて、回転盤１１の下側ブラシ毛１２と固定フレーム１３２の上側ブラシ毛１４との間を通過して又環状ケーシング部１３３の内面に拘束されて、ブラシ毛１２，１４によってブラッシングを受けて一次的に清掃され、適当なタイミングでメダル送出口１６からメダルを搬送路１へ送り出される。
この回転盤式１次小物清掃装置１０によってメダルｍは１次的にかなり清掃される。
【００２３】
回転ブラシ２，３の回動は図３に示している。モータ５の出力軸に取付けたベルト車２５と回転ブラシ２，３の回転軸３２に取付けたベルト車３５とを伝動ベルト４で伝動し、上下の回転ブラシ２，３はその円筒ロール２１，３１の回転軸２２，３２に軸着した平ギア２４，３４の噛合で、上下一対の回転ブラシ２，３は互に反対方向に回転させている。
【００２４】
搬送路１に送り込まれたメダルｍは上下対向の回転ブラシ２，３のブラシ毛２３，３３間の搬送路１を通過する過程で、上下のブラシ毛２３，３３によってメダルｍの表面・裏面の凹凸の隅までブラシ毛の先端が刺し込まれてこの隅にある１次清掃で除去されないで残っているゴミ・汚れ・粒子をブラシ毛２３，３３の毛先で掻き出してこれら付着物をメダルｍから剥離し、又そのブラシ毛２３，３３の変形による弾性力で剥離物を外周へ飛散・放出させる。この状態を図８に示している。
この上下の回転ブラシ２，３は搬送路１に沿って３組設けることで充分に回転ブラシ２，３による２次清掃を行う。
【００２５】
回転ブラシ２，３のブラシ毛２３，３３は、使用開始時は図９（ａ）の如くブラシ毛２３，３３の毛先はブラシ毛を直角に切断面を有し、エッジ２３１，３３１を有しているが、使用していると図９（ｂ）の如くエッジ２３１，３３１にゴミ・汚れ２３２（３３２）が付着したり、又丸味２３３，３３３を帯びてきてブラシ毛２３，３３の剥離力が低下する。
【００２６】
本実施例１では、電気制御部（図示せず）は１５秒間電磁ソレノイド８６に通電し、電磁ソレノイド８６の吸磁力を発生させて、ブラシ研磨板８１に固着した磁性板（鉄片）を圧縮スプリング８５の付勢力に抗して固定フレーム８３側に引き寄せてブラシ研磨板８１を回転ブラシ２，３のブラシ毛２３，３３の毛先と接触しないように遠ざける。１５秒間遠ざけた後、電気制御部は電磁ソレノイド８６への通電を停止して約５秒間程非通電とする。これによって、電磁吸着力が失われてブラシ研磨板８１は圧縮スプリング８５の付勢力でブラシ研磨板８１の研磨層８１２が回転しているブラシ毛２３，３３の毛先に５秒間程接触し、ブラシ毛２３，３３のエッジ２３１，３３１に付着したゴミ・汚れ２３２，３３２を剥離除去する。又、ブラシ毛２３，３３の丸味を帯びたエッジ２３１，３３１を研磨してエッジ２３１，３３１を回復して図９（ｃ）の如くエッジを有する状態にする。
これによって、ブラシ毛２３，３３の毛先の付着物の除去とエッジの回復によってブラシ毛の剥離力を高く維持できる。
【００２７】
３組の回転ブラシ２，３でメダルｍの表面に付着したゴミ・汚れ・粒子は、ブラシ毛の毛先とブラシ毛のしなりによって付着物を剥離して空気中に飛散されるが、この回転ブラシ２，３の下方位置に剥離物回収装置７の空気吸引口７１があり、ファン７５によって負圧にされているので、回転ブラシ２，３によって空気中に浮遊・飛散している剥離物、又はブラシ毛等に軽く再付着した剥離物は空気吸引口７１の負圧によって吸引され、回収装置本体７２の内部にあるフィルター袋７６によって収容され、空気のみ排気口７３から大気へ戻される。フィルター袋７６の収集された剥離物が満杯となればフィルター袋７６は外されて捨てられ、新しい空のフィルター袋７６と交換される。
【００２８】
（実施例２）
図１１に示す実施例２の回転ブラシ清掃装置Ｇ２は、搬送路１に１組の回転ブラシ２，３を設けた例で、実施例１の回転ブラシ清掃装置Ｇ１が３組の回転ブラシ２，３を連列させる例に比べ簡易な構造とした例である。この実施例２の回転ブラシ清掃装置要部Ｇ０は回転ブラシ１組で清掃するので、清掃能力は実施例１の回転ブラシ３組のものと比べ劣るが、汚れ・ゴミ等の付着力が少ない小物・凹凸が少ない小物に使用できる。
実施例１同様に、回転ブラシの劣化を防いで長時間清掃力を失わずに行える。他の構造・作用効果は実施例１と同様であり、図中の符号も実施例１のものと共通としている。
【００２９】
（実施例３）
図１２〜１９に示す実施例３の回転ブラシ清掃装置Ｇ３は、前記実施例Ｇ１において上下対の回転ブラシ２，３及び上下にあるブラシ研磨装置８を一つの箱体内に装置した別体の箱体装置１９とし、この箱体装置１９をブラシ清掃装置のケーシングの小物の搬送路途中の空所１７に脱着自在に嵌合することで前記実施例と同じ構造にでき、又嵌合によって回転ブラシ２，３の動力もケーシング側に固定的に設けたモータ動力が回転ブラシ側に伝動できるようにし、又ブラシ研磨装置８も電源がコネクタ接続することで作動できるようにした例である。又、実施例１同様に空気吸引式の剥離物回収装置７及び回転盤式１次小物清掃装置１０を設けた例である。
【００３０】
この実施例３では、箱体装置１９をブラシ清掃装置のケーシングの空所１７から脱着自在であり、しかも各回転ブラシ２，３も箱体１８から簡単に取り出すことで回転ブラシ２，３の交換・清掃・補修も容易に行える。又、ブラシ研磨装置も箱体１８と蓋体１８７との取り外しで容易に露出して点検・補修・交換が容易となる。又、実施例１と同じ回転盤式１次小物清掃装置１０も上流側に設けている。この構造・動作は実施例１と同様であるので省略している。又、空気吸引式の剥離物回収装置７の構造・動作も実施例１と同様であるので省略している。
【００３１】
（符号の説明）
図１２〜１９中、符号１７は装置ケーシング１３に設けた空所、１８は箱体、１８１は箱体１８の搬送路上流側となる前壁に設けた導入口、１８２は箱体１８の後壁に設けた送出口、１８３は導入口１８１と送出口１８２を結ぶ箱体内搬送路、１８４は箱体の左右側壁に設けた縦溝、１８５は欠番、１８６は回転ブラシ２，３の回転軸２２，３２に軸着したベアリング、１８７は箱体１８の天井面を閉鎖する蓋体、１８２８は同蓋体の外周下方に取付けたベアリング押え片、１９は箱体１８に上下のブラシ研磨装置８，回転ブラシ２，３，平ギア２４，３４，ベアリング１８６等を装置したカセット式の箱体装置、２０は装置ケーシング１３側に立設された平ギアスタンド２１に取付けられた駆動平ギアであって、箱体装置１９を空所１７に嵌合した状態で、回転軸２２，３２に軸着した下方側の平ギア３４と噛合するようになる位置に同平ギアは設けられている。１８９はブラシ研磨装置８の電源線のコネクタ、２５はブラシ研磨装置８への装置ケーシング１３に設けた供給電源コードの接続コネクタである。他の構成で実施例１のものと同じものに対しては、実施例１と共通の符号を使用している。
【００３２】
箱体１８の左右側壁の構造は、図１６に示すように鋼製の２枚の側面板１８２０をベアリング１８６の厚みより少し長い寸法の間隔で配置し、その間に縦長のスペーサ１８２１を４個所配置する。スペーサ１８２１間の間隔は、ベアリング１８６の直径よりやや長い寸法とする。これらスペーサ１８２１を２枚の側面板１８２０に複数のネジ（図示せず）でもって固着して、スペーサ１８２１間に回転ブラシ２，３のベアリング１８６を落し込める縦溝１８４を形成している。そして、同縦溝１８４に面する各側面板１８２０には回転ブラシ２，３の回転軸２２，３２を貫通できるが、ベアリング１８６の外径よりかなり短い巾でその上方で開放された縦スリット１８２２を開口している。そして、縦溝１８４の下部には下方のベアリング１８６を所定高さで支えるベアリング受部材１８２３が２枚の側面板１８２０間に配置され、ネジで固定されている。
又、箱体１８の前後壁は側面の隅に配置された前記スペーサ１８２１間に面板１８２４を配置して、前記隅のスペーサ１８２１にネジで固定されて形成されている。この面板１８２４に搬送路の小物を通過させる水平スリット状の導入口１８１，送出口１８２が開口されている。又、同導入口１８１と送出口１８２とを結ぶライン上に小物中間受部材１８２５を設けて、箱体内搬送路１８３を形成している。又、送出口１８２の下に水平な空気吸引用スリット１８２６が開口されている。更に側面板１８２０，面板１８２４及びスペーサ１８２１，ベアリング受部材１８２３とネジ止めしている底板１８２７を設けている。
【００３３】
箱体１８の蓋体１８７の左右辺の下方に箱体１８の前記縦溝１８４に挿入できるベアリング押え片１８２８を各辺に３体垂設している。又、蓋体１８７の裏面にはブラシ研磨装置８が取付けられている。
この蓋体１８７は箱体の上部の筒ナット１８３０にボルト１８２９で連結される。
【００３４】
箱体装置１９は、上記構造の箱体１８内の下部にブラシ研磨装置８を取付け、３組の上下対の回転ブラシ２，３のそのベアリング１８６を箱体１８の縦溝１８４に落し込んで、そのベアリング１８６を側面板１８２０とスペーサ１８２１とベアリング受部材１８２３で拘束する。これに蓋体１８７のベアリング押え片１８２８を挿入し、ボルト１８２９によって箱体１８に連結して組立てられる。
ベアリング１８６は上記側面板１８２０とスペーサ１８２１とベアリング受部材１８２３と蓋体１８７のベアリング押え片１８２８によって拘束されて固定状態となる。
【００３５】
このような構造の箱体装置１９を空所１７の境界を形成する装置ケーシング１３の部材である箱体受部材１７１に嵌合する。回転ブラシ２，３に取付けた平ギア２４，３４は平ギアスタンド２１に取付けた駆動平ギア２０と噛合する。そして、駆動平ギア２０に連結されたベルト車２３をモータ２２の伝動ベルト２４が回動することで、３組の上下対の回転ブラシ２，３は上下互に反対方向に回転させる。
一方、箱体１８内の上下のブラシ研磨装置８は接続コネクタ１８９，２５の接続連結によって、電源が電源装置２６から給電して、そのブラシ研磨板８１を上下作動させ、回転ブラシ２，３のブラシ毛を研磨する。
【００３６】
又、箱体装置１９を嵌合する装置ケーシング１３の箱体受部材１７１は、図１３に示すように装置ケーシング１３の空所の境界を形成する前後及び左右の垂直壁及び剥離物回収装置７の回収装置本体１７２の上面壁から構成され、これらによって箱体１８の前後方向（搬送路方向）・左右方向及び下方向の拘束面として嵌合した箱体装置１９を装置ケーシング１３に固定している。
【００３７】
しかも、箱体１８の側壁より突出した上下対の回転軸２２，３２に軸着した平ギア２４，３４は互に噛合する。しかも、下側の平ギア３４は平ギアスタンド２１に軸支された駆動平ギア２０と噛合する。そして、この駆動平ギア２０にはベルト車２３も軸着され、固定の駆動モータ２２の回転力を伝動ベルト２４を介してベルト車２３を回動し、駆動平ギア２０を回動させる。
この駆動平ギア２０の回転は、これと噛合する箱体装置１９の平ギア２４，３４を介して回転ブラシ２，３を回転させる。箱体装置１９内の上下のブラシ研磨装置８は装置ケーシング１３に設けた電源コードのコネクタ１８９と箱体装置側の電源線のコードのコネクタ２５を電気的にコネクタ接続すれば、ブラシ研磨装置８は装置ケーシング１３側にある制御回路（図示せず）によって制御される。回転ブラシ２，３のブラシ毛２３，３３をブラシ研磨板８１で１５秒、１〜５秒の間隔でブラシ研磨できるようになっている。
【００３８】
この実施例では、回転ブラシの交換・点検・清掃・整備及びブラシ研磨板の清掃・補修・交換も箱体装置１９を空所１７から外して別の場所で交換・点検・清掃でき、しかもその完了後機能を回復した箱体装置１９を空所１７へ嵌合すれば、装着されて直ちに使用可能となる。
【産業上の利用可能性】
【００３９】
本発明は、遊技店で使うメダル又はコイン硬貨の他に、薄板の表面に凹凸・彫れ込みがある小型金属板の工業製品の清掃にも使用できる。
【符号の説明】
【００４０】
Ｇ１    実施例１の回転ブラシ清掃装置
Ｇ２    実施例２の回転ブラシ清掃装置
Ｇ０ 実施例中の本発明の要部構成の回転ブラシ清掃装置要部
Ｇ３    実施例３の回転ブラシ清掃装置
ｍ    小物であるメダル
１    搬送路
２，３    回転ブラシ
２１，３１    円筒ロール
２２，３２    回転軸
２３，３３    ブラシ毛
２３１，３３１    エッジ
２３２，３３２    ゴミ・汚れ
２３３，３３３    丸味
２４，３４    平ギア
３５    ベルト車
４    伝動ベルト
５    モータ
６    排出シュート部
７    剥離物回収装置
７１    空気吸引口
７２    回収装置本体
７３    排気口
７４    空気路
７５    ファン
７６    フィルター袋
８    ブラシ研磨装置
８１    ブラシ研磨板（ブラシ研磨体）
８１２    研磨層
８２    上下案内ピン
８３    固定フレーム
８４    欠番
８５    圧縮スプリング
８６    電磁ソレノイド
８７    磁性板（鉄片）
１０    回転盤式１次小物清掃装置
１１    回転盤
１１１    メダル受面
１１２    回転軸
１２    ブラシ毛
１３    装置ケーシング
１３１    投入口
１３２    固定フレーム
１３３    環状ケーシング部
１４    ブラシ毛
１５    モータ
１５１    伝動ベルト
１６    メダル送出口
１７    空所
１７１    箱体受部材
１８    箱体
１８１    導入口
１８２    送出口
１８３    箱体内搬送路
１８４    縦溝
１８５    欠番
１８６    ベアリング
１８７    蓋体
１８９    ブラシ研磨装置の電源コードのコネクタ
１８２０    側面板
１８２１    スペーサ
１８２２    縦スリット
１８２３    ベアリング受部材
１８２４    面板
１８２５    小物中間受部材
１８２６    スリット
１８２７    底板
１８２８    ベアリング押え片
１８２９    ボルト
１８３０    筒ナット
１９    箱体装置
２０    駆動平ギア
２１    平ギアスタンド
２２    モータ
２３    ベルト車
２４    伝動ベルト
２５    接続コネクタ
２６    電源装置
【図１】
0006345161.tif 000002
【図２】
0006345161.tif 000003
【図３】
0006345161.tif 000004
【図４】
0006345161.tif 000005
【図５】
0006345161.tif 000006
【図６】
0006345161.tif 000007
【図７】
0006345161.tif 000008
【図８】
0006345161.tif 000009
【図９】
0006345161.tif 000010
【図１０】
0006345161.tif 000011
【図１１】
0006345161.tif 000012
【図１２】
0006345161.tif 000013
【図１３】
0006345161.tif 000014
【図１４】
0006345161.tif 000015
【図１５】
0006345161.tif 000016
【図１６】
0006345161.tif 000017
【図１７】
0006345161.tif 000018
【図１８】
0006345161.tif 000019
【図１９】
0006345161.tif 000020